(57)【要約】【課題】  メンテナンスや部品の交換等を容易に行える安全標示灯を提供することにある。【解決手段】  ケーシングが、高さ方向に延びると共に上部が太陽光通過可能で閉塞されたケーシング本体と、このケーシング本体の下端部に着脱可能に取り付けられる底蓋とからなり、この底蓋に、ケーシング本体内を高さ方向にその上方近傍まで延び、底蓋に伴ってケーシング本体に挿脱可能である支持板を設け、この支持板の上部に、太陽電池が取り付けられていると共に、この支持板に、蓄電池、発光ダイオード及び制御部が取り付けられていることにより、前記の課題を解決した。【選択図】        図３
2008202365.tif 000002
【特許請求の範囲】
【請求項１】
不透明ではあるが光透過性材料で作られたケーシングと、このケーシングに設けられる太陽電池と、前記ケーシング内に設けられた支持板へ取り付けられ前記太陽電池で発電された電力を蓄積する蓄電池と、前記支持板に取り付けられ前記蓄電池からの電力によって発光する発光ダイオードと、前記支持板に設けられ前記発光ダイオードの点灯を制御する制御部とを備えた安全標示灯であって、
前記ケーシングが、丸筒状のちょうちんの外観を備えたケーシング本体と、このケーシング本体の後部に取り付けられた取付手段と、前記ケーシング本体の外周に設けられた防犯用の標語とを、少なくとも備えていることを特徴とする、安全標示灯。
【請求項２】
ケーシングと、このケーシング内の上方に設けられる太陽電池と、この太陽電池で発電された電力を蓄積する蓄電池と、この蓄電池からの電力によって発光する発光ダイオードと、この発光ダイオードの点灯を制御する制御部とを備えた安全標示灯であって、前記ケーシングが、高さ方向に延びると共に上部が太陽光通過可能で閉塞されたケーシング本体と、このケーシング本体の下端部に着脱可能に取り付けられる底蓋とからなり、
この底蓋に、前記ケーシング本体内を高さ方向にその上方近傍まで延び、前記底蓋に伴って前記ケーシング本体に挿脱可能である支持板を設け、この支持板の上部に、前記太陽電池が取り付けられていると共に、この支持板に、前記蓄電池、前記発光ダイオード及び前記制御部が取り付けられていることを特徴とする、安全標示灯。
【請求項３】
前記ケーシング本体の上面が、傾斜面として形成され、この上面には、太陽光を通過させる透明パネルが設けられ、この透明パネルに隣接して前記太陽電池が配置されていることを特徴とする、請求項１に記載の安全標示灯。
【請求項４】
前記底蓋には、前記ケーシング本体内のスイッチを動作させるスイッチ部が設けられていることを特徴とする、請求項１又は２に記載の安全標示灯。
【請求項５】
前記底蓋には、空気孔が設けられていることを特徴とする、請求項１〜３のいずれか１項に記載の安全標示灯。
【請求項６】
前記支持板に、輝度センサを設け、前記制御部が、前記輝度センサからの信号に基づいて一定の暗さになると、前記蓄電池からの電力によって前記発光ダイオードが発光することを特徴とする、請求項１〜４のいずれか１項に記載の安全標示灯。
【請求項７】
前記制御部が、前記発光ダイオードが発光してから一定の時間を経過すると、その発光を停止させるタイマー機能を有することを特徴とする、請求項１〜５のいずれか１項に記載の安全標示灯。
【請求項８】
前記ケーシングを壁や柱等の所望の箇所に取り付ける取付手段を備え、この取付手段は、壁や柱等の所望の箇所に取り付けられるベース取付部材と、前記ケーシング本体の背部に設けられ、前記ベース取付部材に係脱可能に係止される係止部とを有することを特徴とする、請求項１〜６のいずれか１項に記載の安全標示灯。
【請求項９】
前記ベース取付部材の取付が、両面粘着テープ、釘などの固定部材、又はビス、ボルトなどのネジ部材を用いて行われることを特徴とする、請求項７に記載の安全標示灯。
【発明の詳細な説明】
【技術分野】
【０００１】
本発明は、とくに子供たちの通学路に設置されてその安全を守るための安全標示灯に関する。
【背景技術】
【０００２】
近年、とくに子供たち（主として小・中学生）を被害者とする誘拐、暴行、殺人等の刑事事件が多発しており、その防止策として、「子供１１０番の家」等の標示用語を記載した、表示シートや旗等の安全標示手段を子供たちの通学路にある一般家庭や事業所等の前に設置することが実施に移され、全国的に普及を見ている。
しかるに、この従来のとくに子供たち用の安全標示手段は発光手段を有しないために、夕方薄暗くなると目立たなくなり、或は暗くなると全く目立たなくなってしまうという欠点があった。子供たちは、夕方、或は夕方暗くなってから１〜２時間の間に通学路を通る場合も多く、夕方、或は夕方暗くなっても目立つ安全標示手段が求められている。
最近、地震や火事等の災害時の避難場所や避難経路を示す安全標示灯としては、太陽電池を用いた自己発電型のものが多くなっており、また、光源としては、蛍光灯や水銀灯などからＬＥＤ等の発光ダイオードを用いたものが提案されている（例えば、特許文献１参照。）。
【０００３】
特許文献１に記載されている安全標示灯は、太陽電池を有し、太陽電池によって発電した電力を蓄える蓄電池と、蓄電池からの電力により点灯する複数個の発光ダイオードと、点灯や消灯を制御する制御装置とをケーシングの内部に設置して成るものである。
【特許文献１】特開２００２−１５６１０号公報
【発明の開示】
【発明が解決しようとする課題】
【０００４】
この特許文献１に記載されている安全標示灯は、太陽電池により蓄えた電気エネルギーによって発光ダイオードを発光させるもので、自己発電式でしかも発光ダイオードの寿命が長いので半永久的に使用可能である。しかし、それは災害時の避難場所や避難経路を示すものであるため、子供たちの、とくに通学路での身体・生命の安全を守る面での配慮を欠いており、そのままでは。子供たちの身体・生命の安全を守るための、案内標示灯として用いるには不適当であるという問題があった。
安全標示灯は外に設置されているために、メンテナンスが必要になったり内部の部品等が壊れたとき等は部品等の交換を行わなければならないが、従来公知の、とくに災害発生時の避難場所や避難経路を示す安全標示灯は、分解しないとメンテナンスを行えなかったり、部品の交換等を行えなかったりするという問題もあった。
【０００５】
本発明は、前記課題を解決するためになされたものであって、その目的は、子供たちの主として通学路に設置され、子供たちの通行時における身体・生命の安全性を図る上に適した構造と外観を持つ安全標示灯を提供せんとするにある。
この発明の他の目的は、メンテナンスや部品の交換等を容易に行える安全標示灯を提供せんとするにある。
以下に主として子供たちの通学路に設置され、子供たちの身体・生命の安全性を図ることを目的とする、安全標示灯について説明するが、この発明に係る安全標示灯は、例えば、ケーシングの表面に神社や仏閣等の名称を付して、当該神社や仏閣等に至る参道や通路などに設置して、夕方や夜間に神社や仏閣を訪れる参拝客等の訪問者の足元を照らすものとして用いることもできる。
【課題を解決するための手段】
【０００６】
前記の目的を達成するための本発明に係る安全標示灯は、不透明ではあるが光透過性材料で作られたケーシングと、このケーシングに設けられる太陽電池と、前記ケーシング内に設けられた支持板へ取り付けられ前記太陽電池で発電された電力を蓄積する蓄電池と、前記支持板に取り付けられ前記蓄電池からの電力によって発光する発光ダイオードと、前記支持板に設けられ前記発光ダイオードの点灯を制御する制御部とを備えた安全標示灯であって、前記ケーシングが、丸筒状のちょうちんの外観を備えたケーシング本体と、このケーシング本体の後部に取り付けられた取付手段と、前記ケーシング本体の外周に設けられた防犯用の標語とを、少なくとも備えていることを特徴とする。
この発明はまた、ケーシングと、このケーシング内の上方に設けられる太陽電池と、この太陽電池で発電された電力を蓄積する蓄電池と、この蓄電池からの電力によって発光する発光ダイオードと、この発光ダイオードの点灯を制御する制御部とを備えた安全標示灯であって、前記ケーシングが、高さ方向に延びると共に上部が太陽光通過可能で閉塞されたケーシング本体と、このケーシング本体の下端部に着脱可能に取り付けられる底蓋とからなり、この底蓋に、前記ケーシング本体内を高さ方向にその上方近傍まで延び、前記底蓋に伴って前記ケーシング本体に挿脱可能である支持板を設け、この支持板の上部に、前記太陽電池が取り付けられていると共に、この支持板に、前記蓄電池、前記発光ダイオード及び前記制御部が取り付けられていることを特徴とする。
【０００７】
この発明によれば、ケーシングがケーシング本体と底蓋とからなり、この底蓋に設けられた支持板に太陽電池、蓄電池、発光ダイオード及び制御部が取り付けられていることで、太陽電池、蓄電池、発光ダイオード及び制御部は、ケーシング本体の下部の開口部から底蓋と共に抜け出るので、メンテナンスや部品の交換等を容易に行える。
【０００８】
本発明に係る安全標示灯において、前記ケーシング本体の上面が、傾斜面として形成され、この上面には、太陽光を通過させる透明パネルが設けられ、この透明パネルに隣接して前記太陽電池が配置されていることが好ましい。また、本発明に係る安全標示灯において、前記底蓋には、前記ケーシング本体内のスイッチを動作させるスイッチ部が設けられていることが好ましい。また、本発明に係る安全標示灯において、前記底蓋には、空気孔が設けられていることが好ましい。
【０００９】
また、本発明に係る安全標示灯において、前記支持板に、輝度センサを設け、前記制御部が、前記輝度センサからの信号に基づいて一定の暗さになると、前記蓄電池からの電力によって前記発光ダイオードが発光することが好ましい。また、本発明に係る安全標示灯において、前記制御部が、前記発光ダイオードが発光してから一定の時間を経過すると、その発光を停止させるタイマー機能を有することが好ましい。また、本発明に係る安全標示灯において、前記ケーシングを壁や柱等の所望の箇所に取り付ける取付手段を備え、この取付手段は、壁や柱等の所望の箇所に取り付けられるベース取付部材と、前記ケーシング本体の背部に設けられ、前記ベース取付部材に係脱可能に係止される係止部とを有することが好ましい。また、本発明に係る安全標示灯において、前記ベース取付部材の取付が、両面粘着テープ、釘などの固定部材、又はビス、ボルトなどのネジ部材を用いて行われることが好ましい。
【発明の効果】
【００１０】
以上説明したように本発明に係る安全標示灯によれば、ケーシング本体に付した防犯用の標語や昔の捕り物を思わせるちょうちんを模した外観が，罪を犯そうとしている者に心理的抑制を与えることが期待でき、暗くなると点灯する目立つ構成により、子供たちにとっては、安心して通行ができるという効果を期待できることにより、犯罪防止に役立てることができるものである。尚、この効果は、成人した婦女子、高齢者等の弱者に対しても期待できよう。
また、ケーシングがケーシング本体と、ケーシング本体の下端部に着脱可能に取り付けられる底蓋とからなり、この底蓋に設けられた支持板に太陽電池、蓄電池、発光ダイオード及び制御部が取り付けられていることから、太陽電池、蓄電池、発光ダイオード及び制御部は、ケーシング本体の下部の開口部から底蓋と共に抜け出るので、メンテナンスや部品の交換等を容易に行える。
【発明を実施するための最良の形態】
【００１１】
以下、本発明に係る安全標示灯を添付図面に基づいて詳述する。
【００１２】
図１〜図３は本発明に係る安全標示灯の一例を示す図である。本発明に係る安全標示灯は、図１〜図３に示すように、ケーシング２とこのケーシング２内の上方に設けられる太陽電池３とこの太陽電池３で発電された電力を蓄積する蓄電池４とこの蓄電池４からの電力によって発光する発光ダイオード５と発光ダイオード５の点灯を制御する制御部とを備えたものである。この本発明に係る安全標示灯１は、ケーシング２が、高さ方向に延びると共に上部が太陽光通過可能で閉塞されたケーシング本体２１と、このケーシング本体２１の下端部に着脱可能に取り付けられる底蓋２２とからなり、この底蓋２２に、ケーシング本体２１内を高さ方向にその上方近傍まで延び、底蓋２２と共にケーシング本体２１に挿脱可能である支持板２３を設け、この支持板２３に、太陽電池３、蓄電池４、発光ダイオード５及び制御部が取り付けられていることに特徴がある。
【００１３】
ケーシング２は、高さ方向に延びると共に上部が太陽光通過可能で閉塞されたケーシング本体２１と、このケーシング本体２１の下端部に着脱可能に取り付けられる底蓋２２とからなる。ケーシング本体２１は、図１〜図６に示すように、略丸筒状のちょうちんに似せて形成されている。ケーシング本体２１の周面は、発光ダイオード５が発光したときの光を透過すると共に内部構造が目視できない不透明の例えば白色の合成樹脂材で形成されている。そして、ケーシング本体２１の周面２１dの表面には、とくに図1乃至図４に記載されたように、マスコット人形２１eや、「１１０番の家」或は「こどもたちをまもろう」といった防犯用の標語２１ｆ，２１g及びちょうちんの骨を表わす横線２１ｈ等が表示されている。
尚、周面２１dの表面に表示されるものは上記のものに限定されない。
【００１４】
ケーシング本体２１の上面は、傾斜面２１ａとして形成されている。傾斜面２１ａは、背部側が高く、前部側が低くなるように傾斜されている。傾斜面２１ａの傾斜角度は、特に限定されないが、例えば、ケーシング本体２１の長手方向（高さ方向）に対して略６２°であることが好ましい。傾斜面２１ａには、太陽光を透過させる透明な窓部２１ｂが設けられている。窓部２１ｂ以外の傾斜面２１ａ及びケーシング本体２１の周面の上方は、内部構造が目視できないと共に光を透過させない例えば黒色の不透過部として形成するようにしてもよい。
【００１５】
また、ケーシング本体２１内には、支持板２３を案内すると共に支持する支持部が設けられている。支持部は、ケーシング本体２１の下部開口部近傍に設けられ、底蓋２２を取り付けるためのネジ溝が設けられている取付孔２４ａを有する第１支持部２４と、ケーシング本体２１の上方近傍に設けられている第２支持部２５とからなる。また、ケーシング本体２１の前部側の内周面であって下部開口部近傍には、底蓋２２を取り付けるための取付孔２１ｃが設けられている。また、ケーシング本体２１の下端部に底蓋２２が着脱可能に取り付けられている。
【００１６】
底蓋２２は、図１〜図３及び図７〜図９に示すように、底部２２ａと底部２２ａの周端部が上方に延出した筒状の壁部２２ｂとからなる。この壁部２２ｂの内周部は、ケーシング本体２１の外周部と同じか若干大きな形状に形成されており、ケーシング本体２１に底蓋２２が嵌合されるようになっている。取付孔２１ｃ２４ａに対向する底蓋２２の３箇所には、ビス等を貫通させて底蓋２２をケーシング本体２１に固定するための貫通孔２２ｃがそれぞれ設けられている。また、底蓋２２には、支持板２３をビス等により取り付けるためのネジ溝を有する取付孔２２ｅが設けられている。また、底蓋２２には、空気孔２６が設けられており、ケーシング２内が換気されるようになっている。これにより、ケーシング２内の部品等に熱による影響が及び難くなっている。
【００１７】
支持板２３は、例えば、ケーシング本体２１内を略前部側と後部側とに２つに仕切る平板状に形成されている。支持板２３の高さは、ケーシング本体２１の上方近傍まで延びる寸法で形成されている。支持板２３の下端部には、図３及び図１０に示すように、前部側に略直交する方向に折り曲げられてなると共に貫通孔（図示せず）を有する第１取付片２３ａと、後部側に略直交する方向に折り曲げられてなると共に貫通孔（図示せず）を有する第２取付片２３ｂとが設けられている。これら第１取付片２３ａ及び第２取付片２３ｂを底蓋２２の底部２２ａに面接触させて、ビス２９等を貫通孔を介して取付孔２２ｅにそれぞれ螺合させることにより、支持板２３が底蓋２２に立てた状態で取り付けられるようになっている（図３及び図７参照。）。このように、支持板２３が底蓋２２に立てた状態で取り付けられることで、底蓋２２をケーシング本体２１から取り外すと、底蓋２２の移動に伴ってケーシング本体２１の下部の開口部から支持板２３が抜け出るようになっている。また、支持板２３は、ケーシング本体２１に挿入するとき、ケーシング本体２１内の第１支持部２４及び第２支持部２５によって案内されながら挿入された後に第１支持部２４及び第２支持部２５とケーシング本体２１内壁とによって支持されるようになっている。
【００１８】
この支持板２３の上部には、太陽電池３が取り付けられている。太陽電池３は、太陽光により発電するものであれば特に限定されず、周知のものを用いることができ、例えば、複数の太陽電池３が並列されて構成されている。この太陽電池３は、支持板２３と共に底蓋２２をケーシング本体２１に取り付けたとき、窓部２１ｂに近接して窓部２１ｂを介した太陽光が照射されるように傾斜して支持板２３に取り付けられている。
【００１９】
また、支持板２３の後部側の面（後面ということがある。）の高さ方向の中央部より上方側には、太陽電池３で発電された電力を蓄積する蓄電池４が取り付けられている。また、支持板２３には、図３、図７及び図１０に示すように、蓄電池４からの電力によって発光するＬＥＤ等の発光ダイオード５が設けられている。発光ダイオード５は、特に限定されず、例えば、汎用されているＬＥＤ等である。発光ダイオード５の個数は、特に限定されず、例えば、２個である。この２個の発光ダイオード５は、例えば、支持板２３の幅方向の略中央部であって高さ方向の上下２箇所に支持板２３を貫通させた状態で取り付けられている。すなわち、発光ダイオード５は、発光部が支持板２３の残りの面（前面ということがある。）から突出すると共に、配線部が支持板２３の後面側に位置されるように取り付けられている。
【００２０】
また、支持板２３の後面には、発光ダイオード５の点灯を制御する制御部である基板６が取り付けられている。また、基板６の下部には、スイッチ１５が設けられている。スイッチ１５は、棒状のスイッチ操作部材１５ａを備え、このスイッチ操作部材１５ａを押込み操作するとＯＮ状態となると共に、このＯＮ状態からスイッチ操作部材１５ａを押込み操作すると、ＯＮ状態よりはスイッチ操作部材１５ａがスイッチ本体に対して突出したＯＦＦ状態となるものである。このスイッチ１５のスイッチ操作部材１５ａの先端部が底蓋２２に当接又は近接するように、スイッチ１５が基板６に取り付けられている。このスイッチ操作部材１５ａの先端部が当接又は近接する底蓋２２の箇所は、可撓性を有するスイッチ部２２ｄとして形成されている。このスイッチ部２２ｄを介してスイッチ操作部材１５ａが駆動されてスイッチ１５がＯＮ状態又はＯＦＦ状態に操作されるようになっている。
【００２１】
また、支持板２３には、輝度センサ（図示せず）が取り付けられていることが好ましい。輝度センサとしては、特に限定されず、汎用されているものを用いることができる。制御部は、輝度センサからの信号に基づいて一定の暗さになると、蓄電池４からの電力によって発光ダイオード５を発光させる輝度発光機能を有することが好ましい。また、支持板２３には、赤外線センサ（図示せず）が取り付けられていてもよい。赤外線センサとしては、特に限定されず、汎用されているものを用いることができる。制御部は、赤外線センサからの検出信号に基づいて一定時間、蓄電池４からの電力によって発光ダイオード５を発光させる赤外線発光機能を有するようにしてもよい。
【００２２】
また、制御部には、発光ダイオード５が発光してから一定の時間を経過すると、その発光を停止させるタイマー機能を有することが好ましい。タイマー機能としては、設定時間を可変させることができるものが好ましく、例えば、ディップスイッチによって設定時間を可変させるようにしてもよい。これにより、例えば、スイッチがＯＮ状態で輝度センサからの信号に基づいて一定の暗さになると、蓄電池４からの電力によって発光ダイオード５が発光し、この発光後一定時間を経過すると、その発光が停止されるようになっている。
【００２３】
また、ケーシング２は、取付手段８によって壁や柱等の所望の箇所に取り付けられるようになっていることが好ましい。取付手段８としては、図１３に示すように、ケーシング２を壁や柱等の所望の箇所に取り付けることができれば特に限定されないが、例えば、壁や柱等の所望の箇所に取り付けられるベース取付部材８１と、ケーシング本体の後部（背部）に設けられ、ベース取付部材８１に係脱可能に係止される係止部８２とからなることが好ましい。
【００２４】
係止部８２は、図６、図１１及び図１３に示すように、ケーシング２の後部に設けられている。係止部８２は、ケーシング本体２１の長手方向（高さ方向）に延びる細長の矩形凹状に形成されている。この係止部８２の両側壁上端部には、平板状の第１係止片８３がそれぞれ設けられている。第１係止片８３は、例えば、係止部の上端部、中央部より若干上方側、下部より若干上方側の３箇所の側壁上端部に設けられている。
【００２５】
ベース取付部材８１は、図１２及び図１３に示すように、細長の略矩形平板状に形成されている。ベース取付部材８１の長手方向の長さは、例えば、係止部８２の上部の第１係止片８３の下端部から係止部８２内の下側の壁面までの長さより短く例えば若干短い寸法で形成されている。ベース取付部材８１の幅方向の長さは、例えば、第１係止片８３間の長さより短く例えば若干短い寸法で形成されている。ベース取付部材８１の両側壁の係止部８２に挿入される側の端部には、第２係止片８４が設けられている。第２係止片８４は、ベース取付部材８１の両側壁の上下部及び中央部の３箇所であって互いに対向する箇所にそれぞれ設けられている。第２係止片８４の厚さは、係止部の底部と第１係止片８３との間隔と同じ寸法か若干短い寸法で形成されている。
【００２６】
このベース取付部材８１を、第１係止片８３の下方に第２係止片８４がそれぞれ位置される状態で係止部８２に嵌合させてから（図１３（ａ）参照。）、ベース取付部材８１の第２係止片８４が第１係止片８３と係止部８２の底部との間に位置されるようにケーシング２をベース取付部材８１に対して下方にスライドさせる（図１３（ｂ）参照。）。これにより、第１係止片８３と第２係止片８４とが係合してベース取付部材８１にケーシング２が取り付けられるようになっている。
【００２７】
ベース取付部材８１の取付は、壁や柱等の所望の箇所に取り付けることができるならば特に限定されず、例えば、両面粘着テープ、釘などの固定部材、又はビス、ボルトなどのネジ部材を用いて行うようにしてもよい。ベース取付部材８１の取付は、例えば、ビス、ボルトなどのネジ部材を用いて行うようにしてもよい。この場合、例えば、ベース取付部材８１の上部の近傍及び下部の近傍に、ネジ部材を貫通させる取付孔８１ａが設けられている。この取付孔８１ａにネジ部材を挿入して締め付けることで、ベース取付部材８１を、道路の側部や公園等の暗くて通行に支障がある場所、防犯上不安のある場所などの壁や柱等の所望の箇所に取り付けることができるようになっている。
【００２８】
次に、本発明に係る安全標示灯１の作用を説明する。
【００２９】
ベース取付部材８１を例えばネジ部材等を用いて壁や柱等の所望の箇所に取り付ける。このベース取付部材８１にケーシング２の係止部８２を嵌合させてから、ベース取付部材８１の第２係止片８４が第１係止片８３と係止部８２の底部との間に位置されるようにケーシング２をベース取付部材８１に対して下方にスライドさせる。これにより、第１係止片８３と第２係止片８４とが係合してベース取付部材８１にケーシング２が取り付けられる。すなわち、安全標示灯１が壁や柱等の所望の箇所に取り付けられる。この取付は、安全標示灯１のケーシング２の傾斜面２１ａが南側に向くようにすることが望ましい。その結果、太陽光が窓部２１ｂを介して太陽電池３に確実に照射されることになる。太陽光が太陽電池３に照射されると太陽電池３で発電が行われ、この発電された電力が蓄電池４に蓄電される。
【００３０】
取付後、底蓋２２のスイッチ部２２ｄを介してスイッチ１５を操作してＯＮ状態にする。この状態のまま一定の暗さになると、輝度センサからの信号に基づいて蓄電池４からの電力によって発光ダイオード５が自動的にしかも自己発電で発光し、道路や公園等が明るくなる。その結果、通行者の安全を図ることができる。このように発光ダイオード５を用いることにより、寿命が長くしかも照明距離が長いので、道路や公園等をより明るくすることができるので、より一層通行者の安全を図ることができる。
【００３１】
また、ケーシング本体２１の周面２１ｄの主に前面側に、例えば、「こどもをまもろう」や「１１０番の家」等の標語やちょうちんの骨模様等を施すことにより（図１乃至図４参照。）、罪を犯そうとする者に対しては、標語や昔の捕り物を思わせる丸筒状のちょうちんを模した安全標示灯の外観と存在によって、心理的抑制効果が働くことが期待でき、子供たちにとっては暗くなっても安全標示灯の存在を容易に認識でき、身の危険を感じたときには、すぐに安全標示灯を設置した家や事業所に逃げ込めるという安心感を与えることにより、防犯効果を高めることができるものである。また、タイマー機能を有することで、点灯後、タイマー機能により一定時間を経過すると、発光ダイオード５の発光が停止されるために、一晩中点灯させる場合に比して蓄電池４の蓄電量は多い。このため、次の日の暗くなったときに確実に本発明に係る安全標示灯１が点灯するので、特に子供たちの安全を図ることができる。すなわち、暗くなってから子供たちが出歩く時間帯は、暗くなった直後や暗くなってから１・２時間が特に多いために、この時間帯に確実に安全標示灯１が点灯することで、特に子供たちの安全を図ることができる。
尚、ケーシング本体へ表示する標語を省略するか、この標語に変えて例えば神社や仏閣の名称とすることにより、当該神社や仏閣への参道や通路に設置して、暗いときに足元を照らす安全標示灯として用いることができる。
【００３２】
また、赤外線センサを備えることで、赤外線センサからの検出信号に基づいて一定時間、蓄電池４からの電力によって発光ダイオード５が発光するので、通行者の安全を一層図ることができる。
【００３３】
底蓋２２はビス等によりケーシング本体２１に固定されており、このビス等を外すことによりケーシング本体２１から底蓋２２を取り外すことができる。このとき、底蓋２２には支持板２３が取り付けられており、この支持板２３は底蓋２２の移動に伴ってケーシング本体２１の下部の開口部から抜け出る。この支持板２３に太陽電池３、蓄電池４、発光ダイオード５及び基板６が取り付けられているので、メンテナンスや部品の交換等を容易に行える。また、部品の追加や削除、グレードアップを容易に行える。
【００３４】
また、ケーシング２をベース取付部材８１に対して上方にスライドさせて第２係止片８４と第１係止片８３との係合を解除することにより、ケーシング２を壁や柱等（ベース取付部材８１）から取り外すことができるので、メンテナンスや部品の交換等をより一層容易に行える。
【産業上の利用可能性】
【００３５】
以上説明したように本発明に係る安全標示灯は、とくにケーシングを、丸筒状のちょうちんの外観を備えたケーシング本体と、このケーシング本体の後部に取り付けられた取付手段と、前記ケーシング本体の外周に設けられた防犯用の標語とを、少なくとも備えるように構成したので、とくに子供たちの通学路の人家や事業所に設置することにより、子供たちの身体・生命の安全を図ることができるものである。
【図面の簡単な説明】
【００３６】
【図１】本発明に係る安全標示灯の一例を示す斜視図である。
【図２】本発明に係る安全標示灯の一例を示す側面図である。
【図３】本発明に係る安全標示灯の一例を示す一部破断斜視図である。
【図４】本発明に係るケーシングの一例を示す斜視図である。
【図５】本発明に係るケーシングの一例を示す底面図である。
【図６】本発明に係るケーシングの一例を示す断面図である。
【図７】本発明に係る底蓋に支持板を取り付けた状態を示す側面図である。
【図８】本発明に係る底蓋の一例を示す平面図である。
【図９】本発明に係る底蓋の一例を示す底面図である。
【図１０】本発明に係る支持板の一例を示す図で、（ａ）は側面図、（ｂ）は背面図、（ｃ）は正面図である。
【図１１】本発明に係る安全標示灯の係止部の一例を示す背面図である。
【図１２】本発明に係るベース取付部材の一例を示す図で、（ａ）は平面図、（ｂ）は側面図である。
【図１３】本発明に係る安全標示灯の係止部とベース取付部材との関係を示す背面図で、（ａ）はベース取付部材を係止部に挿入させた状態を示す図、（ｂ）は係止部とベース取付部材とを係合した状態を示す図である。
【符号の説明】
【００３７】
１  安全標示灯
２  ケーシング
２１ｄ  周面
２１ｅ  マスコット人形
２１ｆ  標語
２１ｇ  標語
２１ｈ  横線
３  太陽電池
４  蓄電池
５  発光ダイオード
６  基板（制御部）
８  取付手段
２１  ケーシング本体
２２  底蓋
２３  支持板
２６  空気孔
８１  ベース取付部材
８２  係止部
８３  第１係止片
８４  第２係止片
【図１】
2008202365.tif 000003
【図２】
2008202365.tif 000004
【図３】
2008202365.tif 000005
【図４】
2008202365.tif 000006
【図５】
2008202365.tif 000007
【図６】
2008202365.tif 000008
【図７】
2008202365.tif 000009
【図８】
2008202365.tif 000010
【図９】
2008202365.tif 000011
【図１０】
2008202365.tif 000012
【図１１】
2008202365.tif 000013
【図１２】
2008202365.tif 000014
【図１３】
2008202365.tif 000015